(57)【要約】      （修正有）【課題】紐の緊張とその保持のみを容易に行うことを目的とする結束補助具を安価で提供する。【解決手段】一定間隔を持って基底部７より突出する１組のゲート部２と、該ゲート部間隔よりも大きな直径を有し軸の回りに回転可能なローラと、該ローラを前記ゲート部に対して後方より付勢する付勢手段とからなる一方向クラッチ機構２基を対向させて配置し、該２基の一方向クラッチ機構それぞれの前記ローラを同時に付勢するローラ駆動部材を有し、さらに前記ローラ駆動部材が前記付勢を解除する付勢解除手段を有することを特徴とする。【選択図】図１
0003134620.tif 000002
【実用新案登録請求の範囲】
【請求項１】
一定間隔を持って基底部より突出する１組のゲート部と、該ゲート部間隔よりも大きな直径を有し軸の回りに回転可能なローラと、該ローラを前記ゲート部に対して後方より付勢する付勢手段とからなる一方向クラッチ機構２基を対向させて配置し、該２基の一方向クラッチ機構それぞれの前記ローラを同時に付勢するローラ駆動部材を有し、さらに前記ローラ駆動部材が前記付勢を解除する付勢解除手段を有することを特徴とする結束補助具。
【請求項２】
一定間隔を持って基底部より突出する１組のゲート部と、該ゲート部間隔よりも大きな直径を有し軸の回りに回転可能なローラと、該ローラを前記ゲート部に対して後方より付勢する付勢手段とからなる一方向クラッチ機構２基を対向させて配置し、該２基の一方向クラッチ機構それぞれの前記ローラを同時に付勢するローラ駆動部材を有し、さらに前記ローラ駆動部材が前記付勢を解除する付勢解除手段を有する結束補助具において、前記ローラの軸の片側が前記基底部に形成されたガイド溝に摺動可能に保持され、該軸のもう一方の側は前記ローラを付勢する前記ローラ駆動部材に形成された規制溝により規制されることを特徴とする結束補助具。
【請求項３】
一定間隔を持って基底部より突出する１組のゲート部と、該ゲート部間隔よりも大きな直径を有し軸の回りに回転可能なローラと、該ローラを前記ゲート部に対して後方より付勢する付勢手段とからなる一方向クラッチ機構２基を対向させて配置し、該２基の一方向クラッチ機構それぞれの前記ローラを同時に付勢するローラ駆動部材を有し、さらに前記ローラ駆動部材が前記付勢を解除する付勢解除手段を有する結束補助具において、前記ローラの軸の片側が前記基底部に形成されたガイド溝に摺動可能に保持され、該軸のもう一方の側は前記ローラを付勢する前記ローラ駆動部材に形成された規制溝により規制されており、前記ローラの軸方向から見て前記ガイド溝と前記規制溝が所定の角度を持って配置されていることを特徴とする結束補助具。
【請求項４】
一定間隔を持って基底部より突出する１組のゲート部と、該ゲート部間隔よりも大きな直径を有し軸の回りに回転可能なローラと、該ローラを前記ゲート部に対して後方より付勢する付勢手段とからなる一方向クラッチ機構２基を対向させて配置し、該２基の一方向クラッチ機構それぞれの前記ローラを同時に付勢するローラ駆動部材を有し、さらに前記ローラ駆動部材が前記付勢を解除する付勢解除手段を有する結束補助具において、前記ゲート部のそれぞれはハの字形に間隔が広くなるよう形成されて、該ゲート部の幅広部が対向するように配置されていることを特徴とする結束補助具。
【請求項４】
一定間隔を持って基底部より突出する１組のゲート部と、該ゲート部間隔よりも大きな直径を有し軸の回りに回転可能なローラと、該ローラを前記ゲート部に対して後方より付勢する付勢手段とからなる一方向クラッチ機構２基を対向させて配置し、該２基の一方向クラッチ機構それぞれの前記ローラを同時に付勢するローラ駆動部材を有し、さらに前記ローラ駆動部材が前記付勢を解除する付勢解除手段を有する結束補助具において、前記ゲート部のそれぞれはハの字形に間隔が広くなるよう形成されて、該ゲート部の幅広部が対向するように配置されており、前記ローラの直径は前記ゲート部の最狭部よりも大きく、最広部よりも小さいことを特徴とする結束補助具。
【請求項５】
一定間隔を持って基底部より突出する１組のゲート部と、該ゲート部間隔よりも大きな直径を有し軸の回りに回転可能なローラと、該ローラを前記ゲート部に対して後方より付勢する付勢手段とからなる一方向クラッチ機構２基を対向させて配置し、該２基の一方向クラッチ機構それぞれの前記ローラを同時に付勢するローラ駆動部材を有し、さらに前記ローラ駆動部材が前記付勢を解除する付勢解除手段を有する結束補助具において、前記ローラの軸の片側が前記基底部に形成されたガイド溝に摺動可能に保持され、該軸のもう一方の側は前記ローラを付勢する前記ローラ駆動部材に形成された規制溝により規制され、前記ガイド溝は前記ゲート部の一方の壁に平行に形成されていることを特徴とする結束補助具。
【請求項６】
一定間隔を持って基底部より突出する１組のゲート部と、該ゲート部間隔よりも大きな直径を有し軸の回りに回転可能なローラと、該ローラを前記ゲート部に対して後方より付勢する付勢手段とからなる一方向クラッチ機構２基を対向させて配置し、該２基の一方向クラッチ機構それぞれの前記ローラを同時に付勢するローラ駆動部材を有し、さらに前記ローラ駆動部材が前記付勢を解除する付勢解除手段を有する結束補助具において、前記駆動部材の付勢手段がバネであることを特徴とする結束補助具。
【請求項７】
一定間隔を持って基底部より突出する１組のゲート部と、該ゲート部間隔よりも大きな直径を有し軸の回りに回転可能なローラと、該ローラを前記ゲート部に対して後方より付勢する付勢手段とからなる一方向クラッチ機構２基を対向させて配置し、該２基の一方向クラッチ機構それぞれの前記ローラを同時に付勢するローラ駆動部材を有し、さらに前記ローラ駆動部材が前記付勢を解除する付勢解除手段を有する結束補助具において、前記ローラの軸の片側が前記基底部に形成されたガイド溝に摺動可能に保持され、該軸のもう一方の側は前記ローラを付勢する前記ローラ駆動部材に形成された規制溝により規制され、前記基底部に形成された長溝は前記ゲート部の一方の壁に平行に形成されており、前記ローラの軸方向から見て前記ガイド溝と前記規制溝が所定の角度を持って配置されており、前記ゲート部のそれぞれはハの字形に間隔が広くなるよう形成され、該ゲート部の幅広部が対向するように配置されており、前記ローラの直径は前記ゲート部の最狭部よりも大きく、最広部よりも小さく形成されており、前記駆動部材の付勢手段がバネであることを特徴とする結束補助具。
【考案の詳細な説明】
【技術分野】
【０００１】  本考案は、古新聞等を紐で縛る際に、容易に紐を緊張することができ、またその状態を保持できる結束補助具に関する。
【背景技術】
【０００２】  古新聞等を紐で梱包する際に、従来は手で紐を締めて結束しているが、結束の際に紐が緩んでしまうという問題があった。また、腕力の弱い女性やお年寄りには紐を締めること自体が難しかった。【０００３】  このような問題点を解決する手段として特許文献１に示すような結束器が提案されている。この結束器によれば、市販の紐を使用し緊張状態にした上で結束できる。しかしながら、この結束器は機構が複雑であるため製造コストが高くなり、価格が高価になってしまうという問題点がある。【０００４】
【特許文献１】特開平１１−２６３３２５号公報
【考案の開示】
【考案が解決しようとする課題】
【０００５】  上記問題点に鑑みて本考案による結束補助具では、紐の緊張とその保持のみを容易に行うことを目的とする結束補助具を安価で提供することを課題とする。
【課題を解決するための手段】
【０００６】  上記課題を解決するため本考案による結束補助具においては、一定間隔を持って基底部より突出する１組のゲート部と、該ゲート部間隔よりも大きな直径を有し軸の回りに回転可能なローラと、該ローラを前記ゲート部に対して後方より付勢する付勢手段とからなる一方向クラッチ機構２基を対向させて配置し、該２基の一方向クラッチ機構それぞれの前記ローラを同時に付勢するローラ駆動部材を有し、さらに前記ローラ駆動部材が前記付勢を解除する付勢解除手段を有することを特徴とする。【０００７】  前記ローラの軸の片側が前記基底部に形成されたガイド溝に摺動可能に保持され、該軸のもう一方の側は前記ローラを付勢する前記ローラ駆動部材に形成された規制溝により規制されることが望ましい。【０００８】  さらに、前記ローラの軸方向から見て前記ガイド溝と前記規制溝が所定の角度を持って配置されていることが好適である。【０００９】  また、前記ゲート部のそれぞれはハの字形に間隔が広くなるよう形成されて、該ゲート部の幅広部が対向するように配置されていることも特徴とする。【００１０】  前記ローラの直径は前記ゲート部の最狭部よりも大きく、最広部よりも小さいことが望ましい。【００１１】  また、前記ローラの軸の片側が前記基底部に形成されたガイド溝に摺動可能に保持され、該軸のもう一方の側は前記ローラを付勢する前記ローラ駆動部材に形成された規制溝により規制され、前記ガイド溝は前記ゲート部の一方の壁に平行に形成されていることが好適である。【００１２】  前記駆動部材の付勢手段がバネであることが好適である。【００１３】  本考案の結束補助具において最も好適なものとしては、一定間隔を持って基底部より突出する１組のゲート部と、該ゲート部間隔よりも大きな直径を有し軸の回りに回転可能なローラと、該ローラを前記ゲート部に対して後方より付勢する付勢手段とからなる一方向クラッチ機構２基を対向させて配置し、該２基の一方向クラッチ機構それぞれの前記ローラを同時に付勢するローラ駆動部材を有し、さらに前記ローラ駆動部材が前記付勢を解除する付勢解除手段を有する結束補助具において、前記ローラの軸の片側が前記基底部に形成されたガイド溝に摺動可能に保持され、該軸のもう一方の側は前記ローラを付勢する前記ローラ駆動部材に形成された規制溝により規制され、前記基底部に形成された長溝は前記ゲート部の一方の壁に平行に形成されており、前記ローラの軸方向から見て前記ガイド溝と前記規制溝が所定の角度を持って配置されており、前記ゲート部のそれぞれはハの字形に間隔が広くなるよう形成され、該ゲート部の幅広部が対向するように配置されており、前記ローラの直径は前記ゲート部の最狭部よりも大きく、最広部よりも小さく形成されており、前記駆動部材の付勢手段がバネであることを特徴とする。
【考案の効果】
【００１４】  本考案による結束補助具では、機構が単純で部品数が少ないため製造コストが安く済み、また小型軽量であるため片手で容易に操作することが可能であり、紐の両端を保持して容易に緊張状態を作り出すことができるため、古新聞等の結束が極めて容易となる。
【考案を実施するための最良の形態】
【実施例】
【００１５】  以下、図面に基づいて本考案の好適な実施例について説明する。図１は、本発明による結束補助具の実施例を示す正面図である。この実施例は、本体１（図２）、ローラ１１（図３）、ローラ駆動部材２０（図４）及びカバー３０（図５）よりなる。【００１６】  本体１の詳細構成は図２に示す。本体１は先端が２つに別れ、そのそれぞれに基底部７から一定間隔を持って突出する１組のゲート部２が形成されている。ゲート部から伸びる案内部Ａ４Ａは、基底部７から直立し、左側の案内部Ａは右に行くほど、また右側の案内部は左に行くほど幅狭に構成されている。また、このゲート部２から伸びるもう一方の案内部Ｂもやはり傾斜させて構成されており、両ゲート部２が向き合う内側に向かってはの字状に案内部が広くなるよう形成されている。また、基底部７にはさらに案内部Ｂに平行にガイド溝が形成されている。案内部Ｂ４Ｂが形成されている第１段部６は、基底部７より高くまた第２段部１０より低い高さに形成されていて、両側に弾性体収納溝８が設けられている。第２段部１０上には、２箇所にネジ止めのためのネジ穴９が形成されている。【００１７】  ローラ１１の構造は図３に示した。ローラ１１は円筒状で、中心に両端部から突出するローラ軸１２を有する。【００１８】  ローラ駆動部材２０の構成は図４に示した。ローラ駆動部材２０は中央部の平坦な操作部２３とその両端に突出して形成した突出部２４とからなる。それぞれの突出部２４には、一端が解放された規制溝２１が平坦部に対して角度を持って形成されている。また、それぞれの突出部２４根元部には突起部２２が形成されている。【００１９】  図５には、カバー３０の構成を示した。カバーはほぼ結束補助具本体１の外形に沿った形状に形成されるが、先端部３２は、本体１の基底部７までの長さに調整されている。【００２０】  次に本実施例による結束補助具の全体構成であるが、本体１のガイド溝３内にローラ軸１２が収納されるように、２個のローラ１１を配置する。これらのローラ軸１２の手前側はローラ駆動部材２０に形成された規制溝２１に収納される。また、本体１上の２個の弾性体収納溝８内にはバネ（図示してない）が収納され、同じく嵌合されるローラ駆動部材２０の突起部２２をゲート部２方向に付勢する。このローラ駆動部材２０は本体１上の第１段部に配置される。さらにこのローラ駆動部材２０の上にカバー３０を載置し、ネジ穴３１および９を通してネジで固定する。【００２１】  本実施例の結束補助具を組み立てた状態では、バネの弾性力によりローラ駆動部材２０がローラ１１をゲート部（紐導入部最狭部）２に付勢しているので、ゲート部２は閉鎖されている。操作部２３を含む本体１を掴んで握ることによりローラ駆動部材２０が弾性力に打ち勝って下方に移動し、それによってローラ軸１２は規制溝２１に沿って規制溝開口部に向けて移動しようとするが、反対側の軸１２が基底部７のガイド溝３により規制されるので、このガイド溝３に沿って左ローラ１１は右下方へ、右ローラ１１は左下方へそれぞれ回転しながら移動する。この動きによりゲート部が開放される。【００２２】  この状態で、左右より紐の先端部をそれぞれゲート部２を通して結束補助具の内側に��導する。その後手を離すと、ローラが元の位置に戻り、ゲート部が閉鎖されるので、紐はその状態で保持される。このとき、例えば左側紐の先端を引っ張ると、その力によりローラが回転しゲート部が部分的に解放されて紐が内部に移動する。そして手を離すと、そーらがゲート部を再び閉鎖するので、紐はその位置で保持される。古新聞などの結束対象物に紐を掛けてから本補助具を用い、片側或いは両側の紐について上記動作を繰り返すことにより、紐が緊張状態となるので、その状態で紐の両端を結んでから本補助具をはずすと、結束が完了する。本結束補助具のゲート部上側は開放されているので、紐を容易に案内したり外したりすることができる。
【産業上の利用可能性】
【００２３】  本考案によれば、構造が単純で製造コストが安く、操作が容易な結束補助具を提供できるため、特に力の弱い女性やお年寄りが古新聞等の結束を行う際に有用である。
【図面の簡単な説明】
【００２４】
【図１】本考案による結束補助具の実施例を示す正面図である。
【図２】図１に示した実施例に用いた本体の構成を示す部品図である。
【図３】図１に示した実施例に用いたローラの構造を示す部品図である。
【図４】図１に示した実施例に用いたローラ駆動部材の構造を示す部品図である。
【図５】図１に示した実施例に用いたカバーの部品図である。
【符号の説明】
【００２５】１            本体
２            ゲート部（最狭部）
３            ガイド溝
４Ａ          案内部Ａ
４Ｂ          案内部Ｂ
５            最広部
６            第１段部
７            基底部
８            弾性体収納溝
９            ネジ穴
１１          ローラ
１２          ローラ軸
２０          ローラ駆動部材
２１          規制溝
２２          突起部
２３          操作部
２４          突出部
３０          カバー
３１          ネジ穴
３２          先端部
【図１】
0003134620.tif 000003
【図２】
0003134620.tif 000004
【図３】
0003134620.tif 000005
【図４】
0003134620.tif 000006
【図５】
0003134620.tif 000007
【手続補正書】
【提出日】平成19年6月11日(2007.6.11)
【手続補正１】
【補正対象書類名】実用新案登録請求の範囲
【補正対象項目名】全文
【補正方法】変更
【補正の内容】
【実用新案登録請求の範囲】
【請求項１】
一定間隔を持って基底部より突出する１組のゲート部と、該ゲート部間隔よりも大きな直径を有し軸の回りに回転可能なローラと、該ローラを前記ゲート部に対して後方より付勢する付勢手段とからなる一方向クラッチ機構２基を対向させて配置し、該２基の一方向クラッチ機構それぞれの前記ローラを同時に付勢するローラ駆動部材を有し、さらに前記ローラ駆動部材が前記付勢を解除する付勢解除手段を有することを特徴とする結束補助具。
【請求項２】
一定間隔を持って基底部より突出する１組のゲート部と、該ゲート部間隔よりも大きな直径を有し軸の回りに回転可能なローラと、該ローラを前記ゲート部に対して後方より付勢する付勢手段とからなる一方向クラッチ機構２基を対向させて配置し、該２基の一方向クラッチ機構それぞれの前記ローラを同時に付勢するローラ駆動部材を有し、さらに前記ローラ駆動部材が前記付勢を解除する付勢解除手段を有する結束補助具において、前記ローラの軸の片側が前記基底部に形成されたガイド溝に摺動可能に保持され、該軸のもう一方の側は前記ローラを付勢する前記ローラ駆動部材に形成された規制溝により規制されることを特徴とする結束補助具。
【請求項３】
一定間隔を持って基底部より突出する１組のゲート部と、該ゲート部間隔よりも大きな直径を有し軸の回りに回転可能なローラと、該ローラを前記ゲート部に対して後方より付勢する付勢手段とからなる一方向クラッチ機構２基を対向させて配置し、該２基の一方向クラッチ機構それぞれの前記ローラを同時に付勢するローラ駆動部材を有し、さらに前記ローラ駆動部材が前記付勢を解除する付勢解除手段を有する結束補助具において、前記ローラの軸の片側が前記基底部に形成されたガイド溝に摺動可能に保持され、該軸のもう一方の側は前記ローラを付勢する前記ローラ駆動部材に形成された規制溝により規制されており、前記ローラの軸方向から見て前記ガイド溝と前記規制溝が所定の角度を持って配置されていることを特徴とする結束補助具。
【請求項４】
一定間隔を持って基底部より突出する１組のゲート部と、該ゲート部間隔よりも大きな直径を有し軸の回りに回転可能なローラと、該ローラを前記ゲート部に対して後方より付勢する付勢手段とからなる一方向クラッチ機構２基を対向させて配置し、該２基の一方向クラッチ機構それぞれの前記ローラを同時に付勢するローラ駆動部材を有し、さらに前記ローラ駆動部材が前記付勢を解除する付勢解除手段を有する結束補助具において、前記ゲート部のそれぞれはハの字形に間隔が広くなるよう形成されて、該ゲート部の幅広部が対向するように配置されていることを特徴とする結束補助具。
【請求項５】
一定間隔を持って基底部より突出する１組のゲート部と、該ゲート部間隔よりも大きな直径を有し軸の回りに回転可能なローラと、該ローラを前記ゲート部に対して後方より付勢する付勢手段とからなる一方向クラッチ機構２基を対向させて配置し、該２基の一方向クラッチ機構それぞれの前記ローラを同時に付勢するローラ駆動部材を有し、さらに前記ローラ駆動部材が前記付勢を解除する付勢解除手段を有する結束補助具において、前記ゲート部のそれぞれはハの字形に間隔が広くなるよう形成されて、該ゲート部の幅広部が対向するように配置されており、前記ローラの直径は前記ゲート部の最狭部よりも大きく、最広部よりも小さいことを特徴とする結束補助具。
【請求項６】
一定間隔を持って基底部より突出する１組のゲート部と、該ゲート部間隔よりも大きな直径を有し軸の回りに回転可能なローラと、該ローラを前記ゲート部に対して後方より付勢する付勢手段とからなる一方向クラッチ機構２基を対向させて配置し、該２基の一方向クラッチ機構それぞれの前記ローラを同時に付勢するローラ駆動部材を有し、さらに前記ローラ駆動部材が前記付勢を解除する付勢解除手段を有する結束補助具において、前記ローラの軸の片側が前記基底部に形成されたガイド溝に摺動可能に保持され、該軸のもう一方の側は前記ローラを付勢する前記ローラ駆動部材に形成された規制溝により規制され、前記ガイド溝は前記ゲート部の一方の壁に平行に形成されていることを特徴とする結束補助具。
【請求項７】
一定間隔を持って基底部より突出する１組のゲート部と、該ゲート部間隔よりも大きな直径を有し軸の回りに回転可能なローラと、該ローラを前記ゲート部に対して後方より付勢する付勢手段とからなる一方向クラッチ機構２基を対向させて配置し、該２基の一方向クラッチ機構それぞれの前記ローラを同時に付勢するローラ駆動部材を有し、さらに前記ローラ駆動部材が前記付勢を解除する付勢解除手段を有する結束補助具において、前記駆動部材の付勢手段がバネであることを特徴とする結束補助具。
【請求項８】
一定間隔を持って基底部より突出する１組のゲート部と、該ゲート部間隔よりも大きな直径を有し軸の回りに回転可能なローラと、該ローラを前記ゲート部に対して後方より付勢する付勢手段とからなる一方向クラッチ機構２基を対向させて配置し、該２基の一方向クラッチ機構それぞれの前記ローラを同時に付勢するローラ駆動部材を有し、さらに前記ローラ駆動部材が前記付勢を解除する付勢解除手段を有する結束補助具において、前記ローラの軸の片側が前記基底部に形成されたガイド溝に摺動可能に保持され、該軸のもう一方の側は前記ローラを付勢する前記ローラ駆動部材に形成された規制溝により規制され、前記基底部に形成された長溝は前記ゲート部の一方の壁に平行に形成されており、前記ローラの軸方向から見て前記ガイド溝と前記規制溝が所定の角度を持って配置されており、前記ゲート部のそれぞれはハの字形に間隔が広くなるよう形成され、該ゲート部の幅広部が対向するように配置されており、前記ローラの直径は前記ゲート部の最狭部よりも大きく、最広部よりも小さく形成されており、前記駆動部材の付勢手段がバネであることを特徴とする結束補助具。